(57)【要約】【課題】監視装置数の増減により必要となった監視対象装置の設定変更を迅速に行う。【解決手段】監視装置ごとに設定情報を記憶する設定情報記憶部１２と、監視対象装置ごとにいずれかの監視装置を示す監視装置識別情報を含む監視対象装置情報を記憶する監視対象装置情報記憶部１３と、監視装置が増えるまたは減る際に、監視対象装置情報記憶部１３の各監視装置識別情報が、当該増える監視装置の監視装置識別情報を含む全ての監視装置識別情報または当該減る監視装置の監視装置識別情報を含まない全ての監視装置識別情報のいずれかとなるようにする割り付け部１７と、監視対象装置情報記憶部１３で変更された監視装置識別情報に対応する監視装置を示す設定情報を設定情報記憶部１２から読み出し、当該監視装置識別情報を含む監視対象装置情報に対応する監視対象装置に当該設定情報を送信する変更要求処理部１５とが設けられる。【選択図】図２
2012134628.tif 000002
【特許請求の範囲】
【請求項１】
監視対象装置に送信される設定情報により示される監視装置に対し当該監視対象装置の状態を示す通知信号が送信される監視システムで使用される監視対象設定変更装置であって、
１以上の前記監視装置の監視装置ごとに当該監視装置を示す設定情報が記憶される設定情報記憶部と、
１以上の前記監視対象装置の監視対象装置ごとに前記いずれかの監視装置を示す監視装置識別情報を含む監視対象装置情報が記憶される監視対象装置情報記憶部と、
前記監視装置が増えるまたは減る際に、前記監視対象装置情報記憶部の各監視装置識別情報が、当該増える監視装置の監視装置識別情報を含む全ての監視装置識別情報または当該減る監視装置の監視装置識別情報を含まない全ての監視装置識別情報のいずれかとなるようにする割り付け部と、
前記監視対象装置情報記憶部で変更された監視装置識別情報に対応する監視装置を示す設定情報を前記設定情報記憶部から読み出し、当該監視装置識別情報を含む監視対象装置情報に対応する監視対象装置に当該設定情報を送信する変更要求処理部と
を備えることを特徴とする監視対象設定変更装置。
【請求項２】
前記監視装置から当該監視装置におけるリソースの使用率を含むリソース情報を取得するリソース情報取得部を備え、
当該リソースの使用率が予め設定された閾値以上である場合において、当該監視装置の監視装置識別情報が前記全ての監視装置識別情報に含まれないようになっている
ことを特徴とする請求項１記載の監視対象設定変更装置。
【請求項３】
前記設定情報を伝達する信号のプロトコルは前記通知信号のプロトコルである
ことを特徴とする請求項１または２記載の監視対象設定変更装置。
【請求項４】
前記監視装置から当該監視装置におけるリソースの使用率を含むリソース情報を取得するリソース情報取得部を備え、
前記割り付け部は、前記監視対象装置情報記憶部における当該監視装置の監視装置識別情報の数を当該使用率が大きいほど少なくする
ことを特徴とする請求項１または３記載の監視対象設定変更装置。
【発明の詳細な説明】
【技術分野】
【０００１】
本発明は、監視装置数の増減により必要となった監視対象装置の設定変更を迅速に行える監視対象設定変更装置に関するものである。
【背景技術】
【０００２】
従来においては、監視装置が監視対象装置を監視する通信システム（以下、監視システムという）があり、監視システムでは、監視装置のアドレスが予め監視対象装置に設定され、監視対象装置は当該アドレスに該当する監視装置に対し、監視対象装置の状態を示す通知信号を送信する。こうして通知信号により、監視装置においては監視対象装置の状態を知ることができる。
【０００３】
図１１は、監視システムにおいて監視装置の数を増やす前後の動作を示す図である。
【０００４】
監視装置３の数を増やすと、ある監視対象装置２に設定された既存の監視装置３のアドレスが、管理者などにより、増えた監視装置３のアドレスに変更される。これにより、当該監視対象装置２は、監視装置数増の前においては、当該既存の監視装置３に通知信号を送信することになっていたのだが、監視装置数増の後においては、当該増えた監視装置３に通知信号を送信することになる。
【０００５】
図１２は、監視システムにおいて監視装置の数を減らす前後の動作を示す図である。
【０００６】
ある監視装置３の故障などにより監視装置数減があると、ある監視対象装置２に設定された当該監視装置３のアドレスが、管理者などにより、他の監視装置３のアドレスに変更される。これにより、当該監視対象装置２は、監視装置数減の前においては、監視装置でなくなった監視装置３に通知信号を送信することになっていたのだが、監視装置数減の後においては、当該他の監視装置３に通知信号を送信することになる。
【先行技術文献】
【特許文献】
【０００７】
【特許文献１】特開２００６−２２２９２９号公報
【発明の概要】
【発明が解決しようとする課題】
【０００８】
上記のように、従来の監視システムにおいては、監視装置数の増減により、監視対象装置の設定を変更する必要があるが、その間は、通知信号が正しい監視装置に送信されず、監視対象装置の状況がわからない。管理者の事情などにより、設定変更が遅れると、状況不明の時間が長くなり、不都合である。特に監視対象装置が多数になると、変更遅れの可能性が高く、不都合である。
【０００９】
本発明は、上記の課題に鑑みてなされたものであり、その目的とするところは、監視装置数の増減により必要となった監視対象装置の設定変更を迅速に行える監視対象設定変更装置を提供することにある。
【課題を解決するための手段】
【００１０】
上記の課題を解決するために、本発明は、監視対象装置に送信される設定情報により示される監視装置に対し当該監視対象装置の状態を示す通知信号が送信される監視システムで使用される監視対象設定変更装置であって、１以上の前記監視装置の監視装置ごとに当該監視装置を示す設定情報が記憶される設定情報記憶部と、１以上の前記監視対象装置の監視対象装置ごとに前記いずれかの監視装置を示す監視装置識別情報を含む監視対象装置情報が記憶される監視対象装置情報記憶部と、前記監視装置が増えるまたは減る際に、前記監視対象装置情報記憶部の各監視装置識別情報が、当該増える監視装置の監視装置識別情報を含む全ての監視装置識別情報または当該減る監視装置の監視装置識別情報を含まない全ての監視装置識別情報のいずれかとなるようにする割り付け部と、前記監視対象装置情報記憶部で変更された監視装置識別情報に対応する監視装置を示す設定情報を前記設定情報記憶部から読み出し、当該監視装置識別情報を含む監視対象装置情報に対応する監視対象装置に当該設定情報を送信する変更要求処理部とを備えることを特徴とする監視対象設定変更装置をもって解決手段とする。
【００１１】
例えば、監視対象設定変更装置は、前記監視装置から当該監視装置におけるリソースの使用率を含むリソース情報を取得するリソース情報取得部を備え、当該リソースの使用率が予め設定された閾値以上である場合において、当該監視装置の監視装置識別情報が前記全ての監視装置識別情報に含まれないようになっている。
【００１２】
例えば、前記設定情報を伝達する信号のプロトコルは前記通知信号のプロトコルである。
【００１３】
例えば、監視対象設定変更装置は、前記監視装置から当該監視装置におけるリソースの使用率を含むリソース情報を取得するリソース情報取得部を備え、前記割り付け部は、前記監視対象装置情報記憶部における当該監視装置の監視装置識別情報の数を当該使用率が大きいほど少なくする。
【発明の効果】
【００１４】
本発明によれば、監視装置数の増減により必要となった監視対象装置の設定変更を迅速に行える監視対象設定変更装置を提供することができる。
【図面の簡単な説明】
【００１５】
【図１】本実施の形態に係る監視対象設定変更装置を含む監視システムの構成図である。
【図２】監視対象設定変更装置１の構成図である。
【図３】監視装置情報記憶部１１の構成図である。
【図４】設定情報記憶部１２の構成図である。
【図５】監視対象装置情報記憶部１３の構成図である。
【図６】設定値記憶部１４の構成図である。
【図７】監視装置３が監視対象設定変更装置１に変更要求を送信する際のフローチャートである。
【図８】監視装置３が監視対象設定変更装置１にリソース情報を送信する際のフローチャートである。
【図９】監視対象設定変更装置１が監視対象装置２の設定情報を変更する際のフローチャートである。
【図１０】監視システムにおいて監視対象装置２の設定情報が変更される際のシーケンス図である。
【図１１】従来の監視システムにおいて監視装置の数を増やす前後の動作を示す図である。
【図１２】従来の監視システムにおいて監視装置の数を減らす前後の動作を示す図である。
【発明を実施するための形態】
【００１６】
以下、本発明の実施の形態について図面を参照して説明する。
【００１７】
図１は、本実施の形態に係る監視対象設定変更装置を含む監視システムの構成図である。
【００１８】
監視対象設定変更装置１は、通信ネットワーク４に接続され、通信ネットワーク４には、複数の監視対象装置２と複数の監視装置３が接続される。
【００１９】
各監視対象装置２は、いずれかの監視装置３のアドレスを含む設定情報を記憶し、監視対象装置２は当該アドレスに該当する監視装置３に対し、監視対象装置２の状態を示す通知信号を送信するようになっている。こうして通知信号により、監視装置３においては監視対象装置２の状態を知ることができる。例えば、通知信号は、ＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルを使用したトラップ信号である。
【００２０】
図２は、監視対象設定変更装置１の構成図である。
【００２１】
監視対象設定変更装置１は、各監視装置３に関する監視装置情報が記憶される監視装置情報記憶部１１と、各監視装置３について、当該監視装置３に通知信号を送信する監視対象装置２に設定すべき設定情報が記憶される設定情報記憶部１２と、各監視対象装置２に関する監視対象装置情報が記憶される監視対象装置情報記憶部１３と、予め設定された設定値が記憶される設定値記憶部１４と、監視装置３が増えるまたは減る際に送信される変更要求により処理を行う変更要求処理部１５と、監視装置３からリソースの使用率を含むリソース情報を取得するリソース情報取得部１６と、監視対象装置情報記憶部１３の監視対象装置情報内の各監視装置識別情報が、増える監視装置の監視装置識別情報を含む全ての監視装置識別情報または減る監視装置の監視装置識別情報を含まない全ての監視装置識別情報のいずれかとなるように監視対象装置情報記憶部１３を変更する割り付け部１７とを備える。
【００２２】
図３は、監視装置情報記憶部１１の構成図である。
【００２３】
監視装置情報記憶部１１には、各監視装置３に関する監視装置情報が記憶される。監視装置情報は、該当の監視装置３を示す監視装置識別情報（以下、監視装置ＩＤという）、当該監視装置３のアドレス、当該監視装置３におけるリソースの１つであるＣＰＵ（演算装置）の使用率（百分率で表現されたものであり、以下、「ＣＰＵ使用率」という）、当該監視装置３におけるリソースの１つであるメモリ（記憶素子）の使用率（百分率で表現されたものであり、以下、「メモリ使用率」という）、当該監視装置３におけるリソースの１つであるトラヒックの処理能力の使用率つまり当該処理能力に対応する最大量に対する実際のトラヒック量の比率（百分率で表現されたものであり、以下、「トラヒック使用率」という）を記憶するためのものである。
【００２４】
図４は、設定情報記憶部１２の構成図である。
【００２５】
設定情報記憶部１２には、各監視装置３について、当該監視装置３に通知信号を送信する監視対象装置２に設定すべき設定情報が記憶される。設定情報は、該当の監視装置３を示す監視装置ＩＤ、当該監視装置３のアドレスつまり通知信号の送信先のアドレスなどを記憶するものである。
【００２６】
図５は、監視対象装置情報記憶部１３の構成図である。
【００２７】
監視対象装置情報記憶部１３には、各監視対象装置２に関する監視対象装置情報が記憶される。監視対象装置情報は、該当の監視対象装置２のアドレス、当該監視対象装置２から送信される通知信号の送信先である監視装置３の監視装置ＩＤ、当該監視対象装置２における設定情報の変更の要否を示すフラグを記憶するものである。フラグ「０」、「１」はそれぞれ変更が必要、不要であることを示す。
【００２８】
図６は、設定値記憶部１４の構成図である。
【００２９】
設定値記憶部１４は、各ＣＰＵ使用率、メモリ使用率、トラヒック使用率について設定された閾値を記憶している（図６（ａ））。閾値は、ＣＰＵ使用率などと同じく、百分率で表現される。
【００３０】
また、設定値記憶部１４は、各ＣＰＵ使用率、メモリ使用率、トラヒック使用率について設定された重み値を記憶している（図６（ｂ））。各重み値は、例えば、それぞれ１、２、１である。
【００３１】
（本実施の形態の動作）
次に、本実施の形態に係る監視システムの動作を説明する。
【００３２】
図７は、監視装置３が監視対象設定変更装置１に変更要求を送信する際のフローチャートである。
【００３３】
監視装置３は、該監視装置３が監視装置となった際（監視装置数増の際）、または、当該監視装置３が故障などにより監視装置でなくなった際（監視装置数減の際）、当該監視装置３が監視装置となったか監視装置でなくなったかを示す情報つまり監視装置数増または減を示す増減情報を伴う変更要求を、当該監視装置３のアドレスとともに、監視対象設定変更装置１に送信する（Ｓ１）。
【００３４】
図８は、監視装置３が監視対象設定変更装置１にリソース情報を送信する際のフローチャートである。
【００３５】
監視装置３は、監視対象設定変更装置１のリソース情報取得部１６からリソース情報取得要求を受信したら（Ｓ１１：ＹＥＳ）、当該監視装置３のＣＰＵ使用率、メモリ使用率、トラヒック使用率を含むリソース情報をリソース情報取得部１６に送信する（Ｓ１３）。
【００３６】
図９は、監視対象設定変更装置１が監視対象装置２の設定情報を変更する際のフローチャートである。
【００３７】
かかる動作は、監視対象装置情報記憶部１３の全フラグが「０」である場合、つまり、全ての監視対象装置２で設定情報の変更が不要であり、つまり、監視対象装置２は通知信号を、該監視対象装置２の設定情報内の送信先のアドレス宛に送信すればよい場合に開始される。
【００３８】
変更要求処理部１５は、変更要求、該変更要求に伴う増減情報およびアドレスを待機し、これらを受信した場合（Ｓ１０１：ＹＥＳ）、増減情報が監視装置数増を示すなら、監視装置情報記憶部１１に新たな監視装置情報を設けて当該監視装置情報に当該アドレスおよび固有の監視装置ＩＤを設定するとともに、設定情報記憶部１２に新たな設定情報を設けて当該アドレスを送信先として設定する一方、増減情報が監視装置数減を示すなら、監視装置情報記憶部１１から当該アドレスを含む監視装置情報を検索し、削除または使用不可にする（Ｓ１０３）。
【００３９】
次に、変更要求処理部１５は、監視装置３からリソース情報を取得するようにリソース情報取得部１６に指示する（Ｓ１０４）。
【００４０】
これにより、リソース情報取得部１６は、監視装置情報記憶部１１の各監視装置情報からアドレスを読み出し、各アドレスにつき以下の処理を行う。
【００４１】
つまり、リソース情報取得部１６は、アドレスに該当する監視装置３に対し、所定のリソース情報取得要求を送信し、つまり、ポーリングを行い、これに対して当該監視装置３から送信されるリソース情報を受信する（Ｓ１０５）。
【００４２】
次に、リソース情報取得部１６は、設定値記憶部１４から各閾値を読み出し、受信したリソース情報に含まれるＣＰＵ使用率、メモリ使用率、トラヒック使用率の３つが全て該当の閾値未満であるか、または、少なくとも１つが閾値以上であるかを判定し（Ｓ１０７）、３つ全てが閾値未満と判定したなら（Ｓ１０７：ＹＥＳ）、当該リソース情報を送信した監視装置３のアドレスを割り付け部１７に通知する（Ｓ１０９）。
【００４３】
次に、リソース情報取得部１６は、読み出した全てのアドレスの監視装置３について上記の処理を行ったか否かを判定し（Ｓ１１１）、全ての監視装置３について処理を行っていないなら（Ｓ１１１：ＮＯ）、ステップＳ１０５に戻る一方、全ての監視装置３について処理を行ったなら（Ｓ１１１：ＹＥＳ）、割り付け部１７に処理を開始するように指示する（Ｓ１１２）。
【００４４】
これにより、割り付け部１７は、リソース情報取得部１６から通知された各アドレスにつき、当該アドレスを含む監視装置情報を監視装置情報記憶部１１から検索し、当該監視装置情報から監視装置ＩＤを読み出し、監視対象装置情報記憶部１３の各監視対象装置情報の監視装置ＩＤが、当該読み出した全ての監視装置ＩＤのいずれかとなるように、監視対象装置情報記憶部１３を変更する（Ｓ１１３）。
【００４５】
ここでは、割り付け部１７は、設定値記憶部１４から各重み値を読み出し、まず、読み出した各監視装置ＩＤについて、式（１）により、空きリソース量Ｍを計算する。
【数１】
2012134628.tif 000003
【００４６】
ただし、Ｒ１、Ｒ２、Ｒ３はそれぞれ、該当の監視装置ＩＤを含む監視装置情報内のＣＰＵ使用率、メモリ使用率、トラヒック使用率である。
【００４７】
ｒ１、ｒ２、ｒ３はそれぞれ、ＣＰＵ使用率、メモリ使用率、トラヒック使用率についての重み値である。各重み値は、上記のように、例えば、それぞれ１、２、１とされ、つまり、空きリソース量Ｍに対して特にメモリ使用率が反映されるように設定される。
【００４８】
例えば、重み値が上記のように１、２、１に設定され、該当の監視装置ＩＤが３つあり、第１の監視装置ＩＤを含む監視装置情報内のＣＰＵ使用率、メモリ使用率、トラヒック使用率がそれぞれ、３０、１０、３０であり、第２の監視装置ＩＤを含む監視装置情報内のＣＰＵ使用率、メモリ使用率、トラヒック使用率がそれぞれ、５０、７０、５０であり、第３の監視装置ＩＤを含む監視装置情報内のＣＰＵ使用率、メモリ使用率、トラヒック使用率がそれぞれ、６０、６０、６０であった場合、第１の監視装置ＩＤに対応する空きリソース量Ｍ（Ｍ１という）、第２の監視装置ＩＤに対応する空きリソース量Ｍ（Ｍ２という）、第３の監視装置ＩＤに対応する空きリソース量Ｍ（Ｍ３という）は、以下のように計算される。
【数２】
2012134628.tif 000004
【００４９】
次に、割り付け部１７は、読み出した各監視装置ＩＤについて、式（２）により、監視対象装置数Ｎを計算する。
【数３】
2012134628.tif 000005
【００５０】
ただし、Ｎｔｏｔａｌは、監視対象装置２の総数である。
【００５１】
Ｍは、該当の監視装置ＩＤについて計算された空きリソース量である。
【００５２】
Ｍｔｏｔａｌは、計算された全ての空きリソース量の総和である。
【００５３】
Ｎｔｏｔａｌが９００の場合、上記の第１の監視装置ＩＤに対応する監視対象装置数Ｎ（Ｎ１という）、第２の監視装置ＩＤに対応する監視対象装置数Ｎ（Ｎ２という）、第３の監視装置ＩＤに対応する監視対象装置数Ｎ（Ｎ３という）は、以下のように計算される。
【数４】
2012134628.tif 000006
【００５４】
次に、割り付け部１７は、読み出した各監視装置ＩＤについて、監視対象装置情報記憶部１３での当該監視装置ＩＤの総数が当該監視装置ＩＤについて計算された監視対象装置数Ｎに等しくなるように、監視対象装置情報記憶部１３の監視装置ＩＤを適宜変更する。
【００５５】
次に、割り付け部１７は、変更された監視装置ＩＤを含む監視対象装置情報内のフラグを全て「０」から「１」に変更する（Ｓ１１４）。変更されない監視装置ＩＤを含む監視対象装置情報内のフラグは「０」のままとされる。
【００５６】
次に、割り付け部１７は、変更された監視装置ＩＤを含む監視対象装置情報内のアドレスを全て変更要求処理部１５に通知する（Ｓ１１５）。
【００５７】
これにより、変更要求処理部１５は、通知された各アドレスにつき、以下の処理を行う。
【００５８】
つまり、変更要求処理部１５は、アドレスに該当する監視対象装置２に対し、所定の設定情報変更通知を送信する、つまり、ポーリングを行う（Ｓ１１６）。
【００５９】
これに対し監視対象装置２は、所定の設定情報取得要求を変更要求処理部１５に送信するようになっている。
【００６０】
変更要求処理部１５は、設定情報変更通知の送信先である監視対象装置２から設定情報取得要求を受信したか否かを判定し（Ｓ１１７）、設定情報取得要求を受信していないなら（Ｓ１１７：ＮＯ）、設定情報変更通知を再度送信する（Ｓ１１６）。
【００６１】
変更要求処理部１５は、設定情報取得要求を受信したなら（Ｓ１１７：ＹＥＳ）、当該アドレス（割り付け部１７から通知された該当のアドレス）を含む監視対象装置情報を監視対象装置情報記憶部１３から検索し、当該監視対象装置情報から監視装置ＩＤを読み出し、当該監視装置ＩＤを含む監視装置情報を監視装置情報記憶部１１から検索し、当該監視装置情報からアドレスを読み出し、当該アドレスに等しい送信先のアドレスを含む設定情報を設定情報記憶部１２から読み出し、当該設定情報を当該監視対象装置２に送信し、当該監視対象装置２に記憶（設定）させる（Ｓ１９１）。
【００６２】
ここで、変更要求処理部１５は、設定情報を伝達する信号のプロトコルを通知信号のプロトコルと同じに、例えば、ＳＮＭＰプロトコルにすることが好ましく、これにより、監視対象装置２において新たなプロトコルを実装する必要がなくなる。
【００６３】
次に、変更要求処理部１５は、当該監視対象装置情報のフラグを「１」から「０」に変更する（Ｓ１２１）。
【００６４】
通知された各アドレスにつき、以上の処理がなされたら、設定情報の変更は終了となる。
【００６５】
図１０は、監視システムにおいて監視対象装置２の設定情報が変更される際のシーケンス図である。
【００６６】
１つの監視装置３は、監視装置３が監視装置となった際（監視装置数増の際）、または、当該監視装置３が故障などにより監視装置でなくなった際（監視装置数減の際）（Ｔ１）、当該監視装置３が監視装置となったか監視装置でなくなったかを示す情報つまり監視装置数増または減を示す増減情報を伴う変更要求を、当該監視装置３のアドレスとともに、監視対象設定変更装置１に送信する（Ｔ３）。
【００６７】
変更要求処理部１５は、変更要求、該変更要求に伴う増減情報およびアドレスを受信し、増減情報が監視装置数増を示すなら、監視装置情報記憶部１１に新たな監視装置情報を設けて当該監視装置情報に当該アドレスおよび固有の監視装置ＩＤを設定する（Ｔ５）とともに、設定情報記憶部１２に新たな設定情報を設けて当該アドレスを送信先として設定する（Ｔ６）一方、増減情報が監視装置数減を示すなら、監視装置情報記憶部１１から当該アドレスを含む監視装置情報を検索し、削除または使用不可にする（Ｔ５）。
【００６８】
次に、変更要求処理部１５は、監視装置３からリソース情報を取得するようにリソース情報取得部１６に指示する（Ｔ７）。
【００６９】
これにより、リソース情報取得部１６は、監視装置情報記憶部１１の各監視装置情報からアドレスを読み出し、当該アドレスに該当する監視装置３にリソース情報取得要求を送信し（Ｔ９）、当該監視装置３から送信されるリソース情報を受信する（Ｔ１１）。
【００７０】
次に、リソース情報取得部１６は、設定値記憶部１４から各閾値を読み出し、受信したリソース情報に含まれるＣＰＵ使用率、メモリ使用率、トラヒック使用率の３つが全て該当の閾値未満であるか、または、少なくとも１つが閾値以上であるかを判定し、３つ全てが閾値未満と判定したなら、当該リソース情報を送信した監視装置３のアドレスを割り付け部１７に通知する（Ｔ１３）。
【００７１】
割り付け部１７は、リソース情報取得部１６から通知された各アドレスにつき、当該アドレスを含む監視装置情報を監視装置情報記憶部１１から検索し、当該監視装置情報から監視装置ＩＤを読み出し（Ｔ１５）、監視対象装置情報記憶部１３の各監視対象装置情報の監視装置ＩＤが、当該読み出した全ての監視装置ＩＤのいずれかとなるように監視対象装置情報記憶部１３を変更し、変更された監視装置ＩＤを含む監視対象装置情報内のフラグを「０」から「１」に変更する（Ｔ１７）。
【００７２】
次に、割り付け部１７は、変更された監視装置ＩＤを含む監視対象装置情報内の監視対象装置２のアドレスを変更要求処理部１５に通知する（Ｔ１９）。
【００７３】
変更要求処理部１５は、通知されたアドレスに該当する監視対象装置２に設定情報変更通知を送信する（Ｔ２１）。
【００７４】
各監視対象装置２は、設定情報変更通知を受信し、設定情報取得要求を送信する（Ｔ２３）。
【００７５】
変更要求処理部１５は、設定情報取得要求を受信し、該設定情報取得要求を送信した監視対象装置２のアドレス（割り付け部１７から通知された該当のアドレス）を含む監視対象装置情報を検索し、当該監視対象装置情報から監視装置ＩＤを読み出し、当該監視装置ＩＤを含む監視装置情報を検索し、当該監視装置情報からアドレスを読み出し、当該アドレスに等しい送信先のアドレスを含む設定情報を設定情報記憶部１２から読み出し（Ｔ２５）、該設定情報を当該監視対象装置２に送信する（Ｔ２７）。
【００７６】
各監視対象装置２は、設定情報を受信し、当該設定情報で元の設定情報を置き換える（Ｔ２９）。
【００７７】
各監視対象装置２は、置き換え後の設定情報内の送信先のアドレスに該当する監視装置３に対し、監視対象装置２の状態を示す通知信号を送信する。こうして通知信号により、例えば、増えた監視装置３において、監視対象装置２の状態を迅速に知ることができる。
【００７８】
したがって、本実施の形態によれば、監視対象設定変更装置１は、監視対象設定変更装置１から監視対象装置２に送信される設定情報により示される監視装置３に対し当該監視対象装置２の状態を示す通知信号が送信される監視システムで使用される監視対象設定変更装置であって、（１）１以上の監視装置３の監視装置ごとに当該監視装置を示す設定情報が記憶される設定情報記憶部１２と、（２）１以上の監視対象装置２の監視対象装置ごとにいずれかの監視装置を示す監視装置識別情報を含む監視対象装置情報が記憶される監視対象装置情報記憶部１３と、（３）監視装置が増えるまたは減る際に、監視対象装置情報記憶部１３の（監視対象装置情報内の）各監視装置識別情報が、当該増える監視装置の監視装置識別情報を含む全ての監視装置識別情報または当該減る監視装置の監視装置識別情報を含まない全ての監視装置識別情報のいずれかとなるようにする割り付け部１７と、（４）監視対象装置情報記憶部１３で変更された監視装置識別情報に対応する監視装置を示す設定情報を設定情報記憶部１２から読み出し、当該監視装置識別情報を含む監視対象装置情報に対応する監視対象装置２に当該設定情報を送信する変更要求処理部１５とを備えることで、変更された監視装置識別情報を含む監視対象装置情報に対応する監視対象装置２に設定情報が送信され、よって、監視装置数の増減により必要となった監視対象装置の設定変更を迅速に行い、稼働を削減することができる。また、監視システムを使用できない時間を短縮できる。その結果、保守性を向上することができる。
【００７９】
また、監視対象設定変更装置１は、監視装置からリソースの使用率を含むリソース情報を取得するリソース情報取得部１６を備え、当該リソースの使用率が予め設定された閾値以上である場合において、当該監視装置の監視装置識別情報が前記全ての監視装置識別情報に含まれないようになっているので、通知信号が当該監視装置には送信されないようにできる。
【００８０】
また、設定情報を伝達する信号のプロトコルを通知信号のプロトコルとすることで、監視対象装置において新たなプロトコルの実装が必要でなくなる。
【００８１】
また、監視対象設定変更装置１は、監視装置からリソースの使用率を含むリソース情報を取得するリソース情報取得部１６を備え、割り付け部１７は、監視対象装置情報記憶部１３における当該監視装置の監視装置識別情報の数を当該使用率が大きいほど少なくすることで、当該監視装置に通知信号を送信する監視対象装置の数を当該使用率が大きいほど少なくでき、つまり、監視対象装置の数を、使用可能なリソースの量に応じた適切なものにできる。
【符号の説明】
【００８２】
１…監視対象設定変更装置
２…監視対象装置
３…監視装置
１１…監視装置情報記憶部
１２…設定情報記憶部
１３…監視対象装置情報記憶部
１４…設定値記憶部
１５…変更要求処理部
１６…リソース情報取得部
１７…割り付け部
【図１】
2012134628.tif 000007
【図２】
2012134628.tif 000008
【図３】
2012134628.tif 000009
【図４】
2012134628.tif 000010
【図５】
2012134628.tif 000011
【図６】
2012134628.tif 000012
【図７】
2012134628.tif 000013
【図８】
2012134628.tif 000014
【図９】
2012134628.tif 000015
【図１０】
2012134628.tif 000016
【図１１】
2012134628.tif 000017
【図１２】
2012134628.tif 000018